(57)【要約】血圧を測定するために患者の腕を支持するためのデバイス（１）であって、腕を載せるための支持体（４）を備える台座（２）と、患者の高さを検出することができる手段（７）と、検出した高さに対応して、支持体を移動し、それを垂直方向に配置することができる手段（９，１０，１１）とを備える。【選択図】図２
2008521460.tif 000002
【特許請求の範囲】
【請求項１】
血圧を測定するために患者の腕を支持するためのデバイスであって、腕を載せるための支持体を備える台座を有し、患者の高さを検出することができる手段と、検出した高さに対応して前記支持体を移動させ垂直方向の位置を調整することができる手段とを備えることを特徴とするデバイス。
【請求項２】
患者の高さを検出することができる前記手段が、超音波源および超音波受信機を備えることを特徴とする、請求項１に記載のデバイス。
【請求項３】
前記超音波源および前記超音波受信機が、前記台座から突き出ているロッド状の部材の端部に配置されることを特徴とする、請求項２に記載のデバイス。
【請求項４】
支持体を移動させることができる前記手段が、前記支持体に強固に結合された空圧シリンダを作動するのに適しているコンプレッサを備え、前記空圧シリンダが移動ガイドにより案内されることを特徴とする、前記請求項のうちの１つまたは複数に記載のデバイス。
【請求項５】
前記デバイスが、前記台座に沿って配置されている目盛付きロッドを備え、前記空圧シリンダが、前記目盛付きロッドに沿って垂直にスライドすることができることを特徴とする、前記請求項のうちの１つまたは複数に記載のデバイス。
【請求項６】
血圧測定装置で患者の腕を支持するためのアームレストの正確な高さを決定するための方法であって、
前記装置の座席上に患者を座らせるステップと、
前記患者の頭部の頂部と前記座席の座席面との間の距離を検出するステップと、
この距離情報に基づいて、前記患者の腕が心臓の高さと同じ高さになるように、前記装置のアームレストを位置決めするステップとを含むことを特徴とする方法。
【請求項７】
前記アームレストの前記位置決めステップが、前記測定した高さ情報と患者の心臓の高さとの相関曲線を分析し、患者が座っている座席に対する前記アームレストの位置を決めることにより行われることを特徴とする請求項６に記載の方法。
【発明の詳細な説明】
【技術分野】
【０００１】
本発明は、特に、動脈圧を測定する装置で使用するための腕支持デバイスに関する。
【背景技術】
【０００２】
周知の通り、通常、動脈圧は通常ゴム球により膨らますことができる空気室に接続している圧力計から構成される血圧測定装置により測定される。この計器は、既知の血圧を動脈圧と比較し、空気室を備えている加圧帯の減圧中の聴診器による聴診により血流が検出された場合の圧力の値を読むことができるように設計されている。
【０００３】
患者の腕に巻かれている加圧帯（cuff）に内蔵されている空気室は、腕に圧力を加え、この圧力は、圧縮のある時点で動脈圧を超えて、加圧帯の下流の血流を中断する。
動脈圧より２０〜３０ｍｍ／Ｈｇ以上になると、ゴム球が内蔵している空気弁により加圧帯が減圧される。
減圧中、オペレータは腕に適切に装着されている聴診器により動脈が発生する音を聞く。
【０００４】
このようにして、オペレータは、心臓の活動および動脈血管の抵抗により発生する動脈拍が発生する、異なる大きさの一連の音、持続時間および音色を検出する。オペレータは、これらの脈拍のうちのどれが血圧の収縮期の値を表しているのか、どれが血圧の膨張期の値を表しているのかを判断しなければならない。
【０００５】
測定の信頼性の本質的な条件は、脈拍の検出点が患者の心臓の高さと同じでなければならないことである。
実際、圧力源による動的条件で動作する任意の油圧回路においては、圧力の値はポンプと測定点との間の高さの違いにより影響を受けることは周知である。
【０００６】
動脈圧測定の場合には、血液の比重（１０５５ｇ／ｌ）を考慮に入れると、高さの違いによるエラーは、高さの違いの１センチメートル当たり、＋／−７６０トル（絶対値ｍｍ／Ｈｇ）／ｃｍ２×１０５５／１０００＝０．８０１８ｍｍ／Ｈｇである。それ故、高さが１０ｃｍ違うとエラーは約８ｍｍ／Ｈｇになる。
治療の場合には、実際上の理由から、患者の高さにかかわらず、患者の腕をいつでも同じ平面上に置くので、通常は高さの違いをチェックしないか、大ざっぱにチェックするだけである。
【０００７】
一方、高さの違いは、次のいくつかの変数ないしポイントにより決定しなければならないので、位置をチェックするのは容易ではない。
患者の高さおよび姿勢、
座席の高さ、
患者の前腕部が位置する点の高さ。
【０００８】
世界保健機構の指標によると、正常値の上限と第１級高血圧の値との違いは５ｍｍ／Ｈｇであるので、高さの違いによるエラーは、正確な診断および以降の治療の決定に悪影響を及ぼす恐れがある。
【０００９】
さらに、患者が高血圧の影響を全く受けていない場合に、患者に高血圧の治療を行うことにより患者に与えるダメージとは別に、不必要な治療の処方による患者および／または共同体への経済的打撃も考慮に入れなければならない。
【発明の開示】
【発明が解決しようとする課題】
【００１０】
本発明の意図は、動脈圧を測定する装置で使用するための腕支持デバイスであって、患者の腕の位置を患者の高さにより調整することができる腕支持デバイスを提供することである。
この意図を達成するため、本発明の目的は、患者の腕を置く位置を容易に自動的に調整することができる、動脈圧を測定する装置用の患者の腕を支持するためのデバイスを提供することである。
本発明のもう１つの目的は、非常に信頼性が高く、比較的製造が簡単でコストの安い、患者の腕を支持するためのデバイスを提供することである。
【課題を解決するための手段】
【００１１】
以下の説明でさらに明らかになる、上記の意図およびこれらの目的ならびにその他の目的は、血圧を測定するために患者の腕を支持するために腕を乗せる支持体を備えた台座を有するデバイスにより達成することができる。このデバイスは、患者の高さを検出することができる手段と、上記検出した高さに対応して、上記支持体を移動させ垂直方向の位置を調整することができる手段を含むことを特徴とする。
【００１２】
本発明によるデバイスの好適ではあるが排他的でない実施形態に関する下記の詳細な説明から、本発明のさらに他の特徴および利点がよりよく理解されるであろう。これは、添付の図面により制限的でない例示として示される。
【発明を実施するための最良の形態】
【００１３】
図面を参照すると、全体を参照番号１で示す本発明によるデバイスは、管状部材２からなる台座に、基部３および患者の腕をその上に載せることができる支持体４を備えている。好適には、支持体４の高さは、自分の腕を支持体４の上に載せている患者の高さに対応して、床に対して調整することができる。
【００１４】
さらに、このデバイスは、その端部に、超音波源および超音波受信機からなる高さ検出デバイス７を備えるロッド状部材５を有する。ここで、高さとは、患者の頭部の頂部から患者が座っている面までの距離を意味する。
【００１５】
高さ検出装置は、患者の腕用の支持体４を上下に移動するための手段の運動を指令できるようになっている。
好適には、支持体４を上下に移動するための駆動手段は、シリンダ移動ガイド１１に沿ってスライドする空圧シリンダ９を作動することができる少なくとも１つのコンプレッサ１０を備える。支持体４の移動はフォトセル８および目盛付きロッドにより測定される。
【００１６】
支持部材４は、空圧シリンダ９に強固に結合されており、したがって、このようなシリンダの移動により、台座の基部部材３が載っている平面に対して支持体４を上下に移動することができる。
【００１７】
実質的には、患者が支持体４の上に腕を載せると、超音波源および対応する受信機により、自動的にまたはオペレータのコマンドにより、患者の高さが検出され、支持体４は、正しい高さ、すなわち患者の心臓のところに自動的に位置するようにされ、したがって、圧力の測定は、心臓と腕の高さの相違に基づくエラーを生じることがない。
【００１８】
それ故、本発明によるデバイスを使用すれば、少なくとも心臓と腕の高さの相違に基づくエラーを含まない血圧測定ができるように、検出された患者の高さに応じて、患者の腕用の支持体４の高さを心臓の高さにほぼ瞬間的に合わせるようにすることができる。
【００１９】
実質的に、患者から入手した「高さ」情報は、それによりアームレストがとらなければならない高さを決定するアルゴリズムにより処理される。高さと心臓の位置、それ故アームレストの選択される位置との間の相関曲線を、実験によりまたは擬人化されたデータ（異なる人口間で変化する場合がある）から作成することができる。
【００２０】
実際、本発明によるデバイスは、高血圧の診断に導く恐れまたは血圧値を低く推定する恐れがある血圧測定の際のエラーの原因の１つを除くことができるので、本発明によるデバイスは、その意図および目的を完全に達成することが分かった。
【００２１】
このように考案したデバイスは、種々に修正および変更することができるが、このようなすべての修正および変更は添付の特許請求の範囲に含まれる。すべての詳細な事項は、他の技術的に等価な要素によりさらに置き換えることができる。
【００２２】
実際には、使用する材料および付随する形状および寸法は、必要性および技術的状況により何であってもよい。それにより添付の特許請求の範囲の保護の範囲から逸脱することはない。
本願が優先権を主張する、イタリア特許出願第ＭＩ２００４Ａ００２２８３号の開示は、ここに引用して本明細書に組み込むものとする。
【図面の簡単な説明】
【００２３】
【図１】本発明によるデバイスの側部立面図である。
【図２】本発明によるデバイスの詳細な断面図である。
【図１】
2008521460.tif 000003
【図２】
2008521460.tif 000004
【国際調査報告】
2008521460.tif 000005
2008521460.tif 000006
2008521460.tif 000007